(57)【要約】【課題】汎用性があって、据え付け現場で容易に適用でき、建屋の柱や梁の位置とは関係なく設置でき、取り付け・取り外しや取り外し後の養生等に工数や時間がかからず、重量物の移動の過程での移動、新設、取り外しも容易で、しっかりとジャッキの反力を受止めうるジャッキ用反力発生装置とそれを用いた重量物の移動方法を提供する。【解決手段】  移動される重量物２の重力を受ける転がり運動を用いた移動装置１１と、それ自体が自由に移動でき、移動装置１１がその上を移動するに十分な長さと巾を有する台板１２と、移動用ジャッキ３の反力を受ける、台板１２に垂直に取り付けられた部材１３とからなる、あるいは、さらに、移動装置１１の上に設置された昇降用ジャッキ５とからなるジャッキ用反力発生装置６（１）、及び、 それらのジャッキ用反力発生装置を用いて重量物を移動する方法。【選択図】図４
2011168348.tif 000002
【特許請求の範囲】
【請求項１】
移動される重量物の重力を受ける転がり運動を用いた移動装置と、該移動装置がその上を移動する台板であって、該移動装置がその上を移動するに十分な長さと巾を有し、かつ、それ自体が自由に移動できる台板と、該台板に固定されて移動用ジャッキの反力を受ける該台板に垂直に取り付けられた部材とからなるジャッキ用反力発生装置。
【請求項２】
前記移動装置の上に前記重量物の昇降用ジャッキを有する請求項1記載のジャッキ用反力発生装置。
【請求項３】
請求項１あるいは請求項２のいずれかのジャッキ用反力発生装置を用いて重量物を移動する方法。
【発明の詳細な説明】
【技術分野】
【０００１】
本発明は、重量物の移動、特に、重量物の位置調整のための移動をジャッキにより行う際のジャッキの反力を受ける装置に関するものである。
【背景技術】
【０００２】
重量物を移動する際、特に、重量物の位置調整のための移動のように、比較的距離が短く、かつ、精度を要する移動にあっては、油圧ジャッキ、空気圧ジャッキ、あるいは、ジャッキボルト等のジャッキを用いて、重量物を押して移動させることが多い。その場合、ジャッキの反力を受け止める反力発生装置が必要である。
【０００３】
特許文献1には、回転機の芯出しの際に用いられる基礎の中に埋設された型材の上に載置・固定されたジャッキポストが記載されている。また、特許文献２には、レールにストッパピンで固定されるクランプ装置を反力発生装置として、大型重量物を横引きする工法が記載されている。
【０００４】
いずれの場合も、移動する回転機や重量物に合わせて設計し、事前に準備された機材を用いるものであり、重量物の据え付けの現場で、その移動が必要になったときに、すぐにその場で準備できる設備ではないし、また、他の重量物の移動に容易に転用できる汎用性を有する設備ではない。
【０００５】
実際には多くの重量物の据え付け現場で、柱や梁などに取り付けた形鋼、いわゆる、ジャッキポスト、を反力発生装置として用いることが多い。しかし、建屋の構造上、必ずしも適当な位置にしっかりとした柱や梁があるとは限らないので、不適切な位置に設けたジャッキポストを用いて無理な移動をしたり、適切な位置にジャッキポストを立てるためにそれを支える構造体をわざわざ組む必要が出てくるなど、問題も多い。
【０００６】
また、ジャッキで重量物を押すポイントは１点ではなく、通常は一つの重量物に対して、その前後左右の４方向にそれぞれに２点ずつ計８点が必要になるから、ジャッキポストも８基必要になる。ジャッキポストの取り付けは通常溶接で行われるが、数が多くなるとその取り付け、取り外し、取り外したあとの柱の養生等にはかなりの工数が必要になる。
【０００７】
さらに、重量物の移動の過程で別の場所にジャッキポストを設置することが必要になったり、最初に設けたジャッキポストが重量物の移動の邪魔になって取り外さねばならないことも出てくる。そのたびに移動作業が中断され、据え付け作業にかかる時間と工数が増加することになる。
【先行技術文献】
【特許文献】
【０００８】
【特許文献１】特開平８−２８９５１２号公報
【特許文献２】特開２０００−５３４００号公報
【発明の概要】
【発明が解決しようとする課題】
【０００９】
本発明が解決しようとする課題は、汎用性があって、いろいろな重量物の据え付け現場で容易に適用でき、建屋の柱や梁の位置とは関係なく設置でき、取り付け・取り外しや取り外し後の養生等に工数や時間がかからず、重量物の移動の過程での移動、新設、取り外しも容易で、しっかりとジャッキの反力を受止めうるジャッキ用反力発生装置とそれを用いた重量物の移動方法を提供することにある。
【課題を解決するための手段】
【００１０】
そこで、本発明は、移動される重量物の重力を受ける転がり運動を用いた移動装置と、該移動装置がその上を移動する台板であって、該移動装置がその上を移動するに十分な長さと巾を有し、かつ、それ自体が自由に移動できる台板と、該台板に固定されて、移動用ジャッキの反力を受ける該台板に垂直に取り付けられた部材とからなるジャッキ用反力発生装置である。
【００１１】
ここで転がり運動を用いた移動装置とは、重量物を横移動する際に、その摩擦抵抗を低減するために転がり運動を利用したころやチルタンク等の通常用いられる移動装置である。重量物の重量、形状、および、その移動する方向がＸ方向のみか、Ｘ−Ｙ方向なのか、等により、移動装置の必要とする台数やその仕様が決定される。
【００１２】
配置された複数台の移動装置の上に重量物が載置され、移動装置は重量物の重量を受けて、それを支える。各移動装置はそれぞれの台板の上に設置される。台板は移動装置が移動する方向に、移動装置が移動してもその上からはみ出さない十分な長さを有し、移動装置が移動しても外れることがない十分な巾を有する。
【００１３】
台板は、それ自体が人手や簡単な揚重機器によって自由に移動が出来るので、重量物の移動用ジャッキをあてがいたい場所の、重量物とその基礎や基台の間に容易に挿入される。挿入にあたっては、重量物を揚重装置でわずかに吊り上げ、基礎や基台との隙間に台板とその上を移動する移動装置を挿入する。
【００１４】
その際に、重量物が移動用ジャッキにより移動する方向に台板の長さ方向を合わせて配置し、その長さ方向に合わせて移動装置を設置する。台板には移動用ジャッキの反力を受ける部材（以下「反力部材」という。）が、台板に垂直に取り付けられている。台板を重量物の下に挿入する際に、この反力部材と重量物を支える移動装置の間に移動用ジャッキを配置するように位置させる。
【００１５】
台板と移動装置の配置が終わったら、重量物を吊り上げていた揚重装置を作動させて、重量物を移動装置の上に載置し、重量物を支える移動装置と反力部材との間に移動用ジャッキを配置する。なお、台板を挿入する以前に反力部材に移動用ジャッキを取り付けて配置しておいてもかまわない。移動用ジャッキとしては油圧ジャッキ、空気圧ジャッキ、ジャッキボルト等何でも使用できる。ジャッキボルトを使用するときには、反力部材に雌ねじを切るなり、反力部材にナットを固定して使用すればよい。
【００１６】
この状態で移動用ジャッキを操作し、重量物の移動を行う。あらかじめ、重量物の重量、形状、および、その移動する方向等により必要なジャッキ用反力発生装置の台数と配置を考えておけば、Ｘ方向のみならず、Ｘ−Ｙ方向の移動も容易に行える。特に、据え付けに当たっての位置調節など精度を要する重量物の移動が容易に行える。
【００１７】
この際、本ジャッキ用反力発生装置は、その移動装置に掛かる重量物の荷重Ｗをそのまま台板に伝えるので、台板と基礎や基台との間の静止摩擦係数μに応じてμＷの摩擦力が発生する。一方、重量物の移動のために移動用ジャッキを作動させることにより発生する反力が反力部材を通して台板を重量物から離れる方向にずらそうとする力となる。ころやチルタンクなどの転がり運動を用いた移動装置では、この反力はＷに対応する転がり摩擦力であり、その大きさはμＷに比べて極めて小さいことは周知のことであるから、移動用ジャッキの反力により台板が基礎や基台からずれて動く可能性は皆無であり、本ジャッキ用反力発生装置はしっかりと移動用ジャッキの反力を受止めることが出来る。
【００１８】
本ジャッキ用反力発生装置は、汎用の移動装置と、それに合わせて鋼板や鋼材を組み合わせて作る台板と反力部材の組み合わせであるから、汎用性があって、重量物の据え付け現場でどこでも容易に準備でき、適用できる。
【００１９】
また、基礎や基台の上に台板を置くだけで設置できるから、建屋の柱や梁の位置とは関係なく設置でき、建屋の柱や梁に溶接で取り付けることもないので、取り付け・取り外しや取り外し後の養生等に工数や時間がかからず、重量物の移動の過程で反力発生装置の移動、新設、取り外しの必要性が生じても、人手で、あるいは、簡単な揚重機器で本ジャッキ用反力発生装置を移動させればよいのであるから、対応は極めて容易である。
【００２０】
なお、上記ジャッキ用反力発生装置で用いる移動装置としては、チルタンクを採用することが望ましい。容量、寸法、材質等各種の仕様に対して幅広くラインナップされて市販されており、その重量物の移動に適したものが容易に手にはいり、その作動も安定しているからである。
【００２１】
また、本発明は、前記移動装置の上に前記重量物の昇降用ジャッキを有する請求項1記載のジャッキ用反力発生装置である。
【００２２】
上述のケースでは、ジャッキ用反力発生装置を設置するには、重量物を揚重装置でわずかに吊り上げ、基礎や基台との間に出来る隙間に挿入していた。重量物が所定の位置に移動した後には、再び揚重装置を作動させて重量物をわずかに吊り上げてジャッキ用反力発生装置を取り外すことになる。
【００２３】
精密な位置調整を必要とする移動の場合には、ジャッキ用反力発生装置を取り外すために再度重量物を揚重装置で持ち上げると、重量物の位置が調整した位置からずれてしまう可能性があると言う問題がある。また、それほどの精度を必要としない場合であっても、その重量物を持ち上げるに必要な十分な容量を持つ揚重装置が無い場合に、わざわざこのためにクレーン等を準備するのも不経済である。
【００２４】
そのような場合には、移動装置の上に重量物を直に載置するのではなく、移動装置の上に重量物の昇降用ジャッキを有するジャッキ用反力発生装置を用い、一方、重量物側には、その昇降用ジャッキを有するジャッキ用反力発生装置の上に伸びる張り出した支点を設ける。張り出した支点は常設でも、仮設でも良いが、重量物の移動用ジャッキをあてがいたい場所に設けられ、重量物の荷重を昇降用ジャッキに伝え、重量物を支持するのに十分な強度を有する必要がある。
【００２５】
基礎や基台の上に載置された重量物の張り出した支点の下に、重量物の昇降用ジャッキを有するジャッキ用反力発生装置を人手や、あるいは、簡単な揚重機器を用いて配置し、昇降用ジャッキを作動させて重量物をわずかに上昇させて基礎や基盤との接触を断った状態で維持し、移動用ジャッキを作動させて位置調整を行う。位置調整が完了したら、昇降用ジャッキを作動させて重量物を基礎や基台の上に戻すことにより、位置を精密に維持したまま重量物を基礎や基台の上に設置することが出来、重量物を昇降するためのクレーン等の揚重装置を別途必要としない。
【００２６】
さらに、本発明は、以上に説明したジャッキ用反力発生装置を用いて重量物を移動する方法である。
【００２７】
本方法を適用するに当たって必要なものは、汎用の移動装置と、それに合わせて鋼板や鋼材を組み合わせて作る台板と反力部材の組み合わせであるから、どこの重量物の据え付け現場でも容易に適用できる。また、建屋の柱や梁の位置とは関係なく反力発生装置を設置できるので、作業計画が容易になり、最適なジャッキ作業を行うことが出来る。さらに、建て屋の柱や梁に溶接で取り付けることもないので、取り付け・取り外しや取り外し後の養生等に工数や時間がかからず、また、重量物の移動の過程で反力発生装置の移動、新設、取り外しの必要が生じても、人手で、あるいは、簡単な揚重機器でジャッキ用反力発生装置を移動させればよいのであるから、対応は極めて容易である。
【００２８】
しかも、本方法を採用しても反力発生装置が従来のものから変わるだけで、ジャッキによる重量物の移動操作は変わらないから、作業員にとってあらたな負担が生じない。そして、なによりも、ジャッキ用反力発生装置はしっかりと移動用ジャッキの反力を受止めることが出来るので、安全に、かつ、確実に重量物の移動作業を行うことが出来る。
【発明の効果】
【００２９】
本発明のジャッキ用反力発生装置は、汎用性があって、いろいろな重量物の据え付け現場で容易に適用でき、建屋の柱や梁の位置とは関係なく設置でき、取り付け・取り外しや取り外し後の養生等に工数や時間がかからず、重量物の移動の過程での反力発生装置の移動、新設、取り外しも容易で、しっかりと移動用ジャッキの反力を受止めることが出来る。
【００３０】
また、それを用いた本発明の重量物の移動方法を採用することにより、上記に加え、作業員にとって従来同様にジャッキによる重量物の移動操作をすればよいので、あらたな負担が生ずることなく、安全に、かつ、確実に重量物の移動作業を行うことが出来る。
【図面の簡単な説明】
【００３１】
【図１】本発明のジャッキ用反力発生装置の実施例１の側面図と平面図である。
【図２】本発明のジャッキ用反力発生装置の実施例２の側面図である。
【図３】本発明の重量物を移動する方法を採用する際の準備状況の説明図である。
【図４】本発明の重量物を移動する方法の説明図である。
【発明を実施するための形態】
【００３２】
本発明の実施の形態について図面を参照しながら説明をする。なお、本発明はかかる実施の形態には限定されず、本発明の範囲内でその具体的構造に種々の変更を加えて良いことは言うまでもない。
【実施例１】
【００３３】
図１は本発明のジャッキ用反力発生装置の実施例１の側面図（ａ）と平面図（ｂ）である。ジャッキ用反力発生装置１は、移動される重量物２を載置されその重量を受ける転がり運動を用いた移動装置、この実施例ではチルタンク１１と、チルタンク１１がその上を移動する台板１２と、その台板１２に固定されて、移動用ジャッキ３の反力を受ける反力部材１３から構成されている。
【００３４】
本図では、重量物２を図の左方に移動するようにジャッキ用反力発生装置１が設置されている。移動用ジャッキ３を作動させれば、チルタンク１１は左方に移動する。チルタンク３が移動しても台板１２から外れないように台板１２は左方に十分の長さを有している。同様に、チルタンク１１が移動しても台板１２から外れないように余裕を持って台板１２の巾が採られている。
【００３５】
台板１２は、基礎や基台４の上に単に置かれているだけであり、ボルト・ナットや溶接で固定されているわけではない。したがって、重量物２を揚重装置（図示されていない。）を用いてわずかに吊り上げて、ジャッキ用反力発生装置１は人手で、あるいは、簡単な揚重機器によって、重量物２と基礎や基台４の間にできた隙間に挿入するだけでよい。
【００３６】
反力部材１３は、移動用ジャッキ３の反力を確実に受止めるために、台板１２に垂直に取り付けられる。図では平板１３を台板１２に垂直に取り付け、補強部材１３ａで補強した構成を示しているが、移動用ジャッキ３の反力に十分耐える強度を有するものであれば、平板１３だけでも良いし、平板のかわりにＨ形鋼等を取り付けても良い。また、部材１４は移動用ジャッキの力を確実にチルタンク１１に伝えるために設けたものである。チルタンクの型式によって、適宜その取り付けの要否や形状を考えればよい。
【００３７】
本ジャッキ用反力発生装置１を使用するには、まず重量物２を揚重装置（図示されていない。）でわずかに吊り上げ、基礎や基台４との間にできた隙間にジャッキ用反力発生装置を挿入する。その上にチルタンク１１を配置し、揚重装置を操作して、チルタンク１１の上に重量物を載置する。チルタンク３と反力部材１３の間に移動用ジャッキを設置すれば、準備完了である。
【００３８】
移動用ジャッキ３を作動させて、重量物２を調整すべき位置まで移動する。この際、チルタンク３に掛かる重量物２の荷重Ｗはそのまま台板１２に伝えるので、台板１２と基礎や基台４との間の静止摩擦係数μに応じてμＷの摩擦力が発生する。一方、重量物２の移動のために移動用ジャッキ３を作動させることにより発生する反力が反力部材１３を通して台板１２を図の右方にずらそうとする力となる。チルタンクなどの転がり運動を用いた移動装置では、この反力はＷに対応する転がり摩擦力であり、その大きさはμＷに比べて極めて小さいので、移動用ジャッキ３の反力により台板１２が基礎や基台４からずれて動く可能性は皆無であり、本ジャッキ用反力発生装置１はしっかりと移動用ジャッキ３の反力を受止めることが出来る。
【００３９】
必要な移動作業が終わった後、揚重装置を操作して重量物２をわずかに吊り上げ、ジャッキ用反力発生装置１を重量物２の下から取り除き、揚重装置を操作して重量物２を基礎や基台４の上に載置すれば、作業は完了である。
【実施例２】
【００４０】
図２は本発明のジャッキ用反力発生装置の実施例２の側面図である。なお、理解を容易にするため、付番に当たっては実施例１と同じ用途を有し、類似の形状を有する部材には同じ番号を付することとする。
【００４１】
ジャッキ用反力発生装置６は、移動される重量物の重量を受ける転がり運動を用いた移動装置、この実施例ではチルタンク１１がその上を移動する台板１２と、その台板１２に固定されて、移動用ジャッキ３の反力を受ける反力部材１３と、チルタンク１１の上に設置された重量物の昇降用ジャッキ５とから構成されている。
【００４２】
図３は、この重量物を移動する方法を採用する際の準備状況の説明図である。図では、まずＸ方向に位置調節を行うために、重量物から張り出した４個の支点７ａにそれぞれジャッキ用反力発生装置６を設置した状態を示している。この４台のジャッキ用反力発生装置６の昇降用ジャッキ５を協調させて重量物２を押し上げる。Ｘ方向の位置調節が終わったら，４個の支点７ｂにそれぞれジャッキ用反力発生装置６を設置して、同様に操作すればよい。なお、本図では長方形の重量物を位置調整する場合を示したが、重量物の形状や障害物があるかどうかと言った周囲の状況に合わせて、支店の位置や数を変化することがある。
【００４３】
図４を用いて、このジャッキ用反力発生装置６を用いた重量物の移動方法を説明する。重量物２には、あらかじめ移動用ジャッキ３を適用したい場所に張り出した支点７を設けられている。張り出した支点７は常設でも、仮設でも良いが、重量物２の荷重を昇降用ジャッキ５に伝え、それを支持するのに十分な強度を有する必要がある。
【００４４】
張り出した支点の下にジャッキ用反力発生装置６を図４（ａ）に示すように挿入する。この際、基礎や基台４の上に台板１２を置くだけで良く、溶接等により固定する必要はない。
【００４５】
続いて、昇降用ジャッキ５を作動させてそのロッド５ａを伸長させ、重量物２を押し上げて基礎や基台４との間に隙間８を作る。図４には１台のジャッキ用反力発生装置６のみ示しているが、実際には図３に示したように一つの重量物２に対して複数台のジャッキ用反力発生装置６が設けられ、それらの昇降用ジャッキ５を協調させて重量物２を図４（ｂ）の高さまで押し上げる。
【００４６】
次に、移動用ジャッキ３を作動させ、そのロッド３ａを伸長させて重量物２を左方に移動する。図４（ｂ）では、重量物２が（ａ）の位置より距離Ｌだけ移動し所定の位置に至った状態を示している。ここで、昇降用ジャッキ５を作動して、そのロッド５ａを縮小し重量物２を基礎や基台４の上におろせば、この方向への重量物２の位置の調整は完了である。これらの操作においても、複数台のジャッキ用反力発生装置６の移動用ジャッキ３や昇降用ジャッキ５を協調させて行う。  
【００４７】
Ｘ方向の位置調節が終わったら，図４の４個の支点７ｂにそれぞれジャッキ用反力発生装置６を設置して、同様に操作すればＹ方向の位置調節を行うことが出来、Ｘ−Ｙ方向の位置調節が終了する。
【００４８】
この実施例でも、台板１２と基礎や基台４との間の静止摩擦係数μに応じて生じうるμＷの摩擦力に比べて、重量物２の移動のために移動用ジャッキ３を作動させることにより発生する反力が極めて小さいので、移動用ジャッキ３の反力により台板１２が基礎や基台４からずれて動く可能性は皆無であり、本ジャッキ用反力発生装置６はしっかりと移動用ジャッキ３の反力を受止めることが出来る。
【００４９】
以上、実施例２のジャッキ用反力発生装置６を用いた重量物の移動方法を説明したが、実施例１のジャッキ用反力発生装置１を用いた場合も、前述のように、昇降用ジャッキ５と重量物から張り出した支点７を用いて重量物２の昇降を行うのに替えて別途クレーン等の揚重装置を用いて重量物２の昇降を行う以外は、基本的に同じ要領で重量物の移動が行える。
【産業上の利用可能性】
【００５０】
重量物の移動、特に、重量物の位置調整のための移動をジャッキにより行う際に、いろいろな現場で広く適用できる。
【符号の説明】
【００５１】
１    ジャッキ用反力発生装置（実施例１）
２    重量物
３    移動用ジャッキ
３ａ  同  ロッド
４    基礎または基台
５    昇降用ジャッキ
５ａ  同  ロッド
６    ジャッキ用反力発生装置（実施例２）
７、７ａ、７ｂ    支点
１１  移動装置（チルタンク）
１２  台板
１３  反力部材
１３ａ  同  補強部材
１４   部材
【図１】
2011168348.tif 000003
【図２】
2011168348.tif 000004
【図３】
2011168348.tif 000005
【図４】
2011168348.tif 000006